【手続補正書】
【提出日】平成19年11月27日(2007.11.27)
【手続補正１】
【補正対象書類名】特許請求の範囲
【補正対象項目名】全文
【補正方法】変更
【補正の内容】
【特許請求の範囲】
【請求項１】
撮影レンズの焦点距離情報に応じてストロボ光の照射角を変更する照射角可変手段と、撮影画質を選択する撮影画質の選択手段とを有するストロボ撮影システムにおいて、
前記照射角可変手段は、前記撮影レンズの焦点距離情報に加えて、前記撮影画質の選択手段による選択結果に応じて前記ストロボ光の照射角を変更することを特徴とするストロボ撮影システム。
【請求項２】
前記照射角可変手段は、前記撮影画質の選択手段により高画質が選択された場合は、前記撮影レンズの焦点距離情報に応じた照射角よりも広角側の照射角に変更することを特徴とする請求項１に記載のストロボ撮影システム。
【請求項３】
前記撮影画質の選択手段による選択結果に応じて前記撮影レンズの焦点距離情報を補正する焦点距離補正手段を有することを特徴とする請求項１に記載のストロボ撮影システム。
【請求項４】
前記焦点距離補正手段は、前記撮影画質の選択手段により高画質が選択された場合は、前記撮影レンズの焦点距離情報を広角側に補正することを特徴とする請求項３に記載のストロボ撮影システム。
【請求項５】
当該ストロボ撮影システムは、カメラとストロボ装置を有しており、前記カメラが、前記撮影レンズの焦点距離情報を広角側に補正するための動作を行い、あるいは、前記ストロボ装置が、前記カメラより入力される前記撮影レンズの焦点距離情報を補正することを特徴とする請求項３に記載のストロボ撮影システム。
【請求項６】
前記撮影画質の選択手段により選択される画質とは、画像サイズあるいは圧縮率であることを特徴とする請求項１ないし５のいずれかに記載のストロボ撮影システム。
【請求項７】
撮影レンズの焦点距離に応じてストロボ光の照射角を制御する照射角可変手段と、
外光輝度を測定する測定手段と、
前記外光輝度の測光結果に基づいてストロボ光寄与率を決定するストロボ光寄与率の決定手段とを有し、
前記照射角可変手段は、前記撮影レンズの焦点距離情報に加えて、前記ストロボ光寄与率の決定結果に応じて前記ストロボ光の照射角を変更することを特徴とするストロボ撮影システム。
【請求項８】
前記ストロボ光寄与率の決定結果による該ストロボ光寄与率が高くなる程、前記ストロボ光の照射角を広角側に補正することを特徴とする請求項７に記載のストロボ撮影システム。
【請求項９】
撮影レンズの焦点距離情報に応じてストロボ光の照射角を変更する照射角可変手段を有するストロボ装置において、
前記照射角可変手段は、前記撮影レンズの焦点距離情報に加えて、撮影画質を示す情報に応じて前記ストロボ光の照射角を変更することを特徴とするストロボ装置。
【請求項１０】
前記焦点距離情報と前記撮影画質を示す情報はカメラから送信される情報であることを特徴とする請求項９に記載のストロボ装置。
【請求項１１】
前記撮影画質を示す情報とは、画像サイズあるいは圧縮率であることを特徴とする請求項９または１０に記載のストロボ装置。
【請求項１２】
撮影レンズの焦点距離情報に応じてストロボ光の照射角を変更する照射角可変手段を有するストロボ装置において、
前記照射角可変手段は、前記撮影レンズの焦点距離情報に加えて、外光輝度の測光結果に基づいて決定されたストロボ光寄与率に関する情報に応じて前記ストロボ光の照射角を変更することを特徴とするストロボ装置。
【請求項１３】
前記焦点距離情報と前記ストロボ光寄与率に関する情報はカメラから送信される情報であることを特徴とする請求項１２に記載のストロボ装置。
【請求項１４】
撮影レンズの焦点距離情報に応じてストロボ光の照射角を変更する照射角可変手段と、画質モードを選択する画質モードの選択手段とを有するストロボ装置において、
前記照射角可変手段は、前記画質モードの選択手段により選択された画質モードに応じて前記ストロボ光の照射角を変更することを特徴とするストロボ装置。
【請求項１５】
ストロボ装置へ撮影レンズの焦点距離情報を出力するカメラにおいて、
前記焦点距離に対応した照射角を変更させるために、前記ストロボ装置へ焦点距離情報と撮影画質を示す情報を出力することを特徴とするカメラ。
【請求項１６】
ストロボ光の照射角を変更する照射角可変手段を有するストロボ装置と接続することが可能なカメラであって、
撮影画質を選択する撮影画質の選択手段と、
前記撮影レンズの焦点距離情報に加えて、前記撮影画質の選択手段による選択結果に応じて前記ストロボ光の照射角を設定する照射角の設定手段と、
前記ストロボ光の照射角を前記ストロボ装置に送信する送信手段とを有することを特徴とするカメラ。
【請求項１７】
前記撮影画質の選択手段により選択される画質とは、画像サイズあるいは圧縮率であることを特徴とする請求項１６に記載のカメラ。
【請求項１８】
ストロボ光の照射角を変更する照射角可変手段を有するストロボ装置と接続することが可能なカメラであって、
外光輝度を測定する測定手段と、
前記外光輝度の測光結果に基づいてストロボ光寄与率を決定するストロボ光寄与率の決定手段と、
前記撮影レンズの焦点距離情報に加えて、前記ストロボ光寄与率の決定結果に応じて前記ストロボ光の照射角を設定する照射角の設定手段と、
前記ストロボ光の照射角を前記ストロボ装置に送信する送信手段とを有することを特徴とするカメラ。
【手続補正２】
【補正対象書類名】明細書
【補正対象項目名】０００６
【補正方法】変更
【補正の内容】
【０００６】
上記目的を達成するために、請求項１に記載の発明は、撮影レンズの焦点距離情報に応じてストロボ光の照射角を変更する照射角可変手段と、撮影画質を選択する撮影画質の選択手段とを有するストロボ撮影システムにおいて、前記照射角可変手段が、前記撮影レンズの焦点距離情報に加えて、前記撮影画質の選択手段による選択結果に応じて前記ストロボ光の照射角を変更するストロボ撮影システムとするものである。
【手続補正３】
【補正対象書類名】明細書
【補正対象項目名】０００７
【補正方法】変更
【補正の内容】
【０００７】
同じく上記目的を達成するために、請求項７に記載の発明は、撮影レンズの焦点距離に応じてストロボ光の照射角を制御する照射角可変手段と、外光輝度を測定する測定手段と、前記外光輝度の測光結果に基づいてストロボ光寄与率を決定するストロボ光寄与率の決定手段とを有し、前記照射角可変手段が、前記撮影レンズの焦点距離情報に加えて、前記ストロボ光寄与率の決定結果に応じて前記ストロボ光の照射角を変更するストロボ撮影システムとするものである。
【手続補正４】
【補正対象書類名】明細書
【補正対象項目名】０００８
【補正方法】変更
【補正の内容】
【０００８】
同じく上記目的を達成するために、請求項９に記載の発明は、撮影レンズの焦点距離情報に応じてストロボ光の照射角を変更する照射角可変手段を有するストロボ装置において、前記照射角可変手段が、前記撮影レンズの焦点距離情報に加えて、撮影画質を示す情報に応じて前記ストロボ光の照射角を変更するストロボ装置とするものである。
【手続補正５】
【補正対象書類名】明細書
【補正対象項目名】０００９
【補正方法】変更
【補正の内容】
【０００９】
同じく上記目的を達成するために、請求項１２に記載の発明は、撮影レンズの焦点距離情報に応じてストロボ光の照射角を変更する照射角可変手段を有するストロボ装置において、前記照射角可変手段が、前記撮影レンズの焦点距離情報に加えて、外光輝度の測光結果に基づいて決定されたストロボ光寄与率に関する情報に応じて前記ストロボ光の照射角を変更するストロボ装置とするものである。
【手続補正６】
【補正対象書類名】明細書
【補正対象項目名】００１０
【補正方法】変更
【補正の内容】
【００１０】
同じく上記目的を達成するために、請求項１４に記載の発明は、撮影レンズの焦点距離情報に応じてストロボ光の照射角を変更する照射角可変手段と、画質モードを選択する画質モードの選択手段とを有するストロボ装置において、前記照射角可変手段が、前記画質モードの選択手段により選択された画質モードに応じて前記ストロボ光の照射角を変更するストロボ装置とするものである。
【手続補正７】
【補正対象書類名】明細書
【補正対象項目名】００１１
【補正方法】変更
【補正の内容】
【００１１】
同じく上記目的を達成するために、請求項１５に記載の発明は、ストロボ装置へ撮影レンズの焦点距離情報を出力するカメラにおいて、前記焦点距離に対応した照射角を変更させるために、前記ストロボ装置へ焦点距離情と撮影画質を示す情報を出力するカメラとするものである。
【手続補正８】
【補正対象書類名】明細書
【補正対象項目名】００１２
【補正方法】変更
【補正の内容】
【００１２】
同じく上記目的を達成するために、請求項１６に記載の発明は、ストロボ光の照射角を変更する照射角可変手段を有するストロボ装置と接続することが可能なカメラであって、撮影画質を選択する撮影画質の選択手段と、前記撮影レンズの焦点距離情報に加えて、前記撮影画質の選択手段による選択結果に応じて前記ストロボ光の照射角を設定する照射角の設定手段と、前記ストロボ光の照射角を前記ストロボ装置に送信する送信手段とを有するカメラとするものである。
【手続補正９】
【補正対象書類名】明細書
【補正対象項目名】００１３
【補正方法】変更
【補正の内容】
【００１３】
同じく上記目的を達成するために、請求項１８に記載の発明は、ストロボ光の照射角を変更する照射角可変手段を有するストロボ装置と接続することが可能なカメラであって、外光輝度を測定する測定手段と、前記外光輝度の測光結果に基づいてストロボ光寄与率を決定するストロボ光寄与率の決定手段と、前記撮影レンズの焦点距離情報に加えて、前記ストロボ光寄与率の決定結果に応じて前記ストロボ光の照射角を設定する照射角の設定手段と、前記ストロボ光の照射角を前記ストロボ装置に送信する送信手段とを有するカメラとするものである。
【手続補正１０】
【補正対象書類名】明細書
【補正対象項目名】００２７
【補正方法】変更
【補正の内容】
【００２７】
上記ステップＳ１１３にてストロボ３が発光準備完了状態でないと判定した場合は、ステップＳ１２２へ進み、自然光による撮影処理（詳細は本発明とは直接関係しないので説明は省略する）を実行し、次のステップＳ１２３にて、一連の動作を終了する。
【手続補正１１】
【補正対象書類名】明細書
【補正対象項目名】００６０
【補正方法】変更
【補正の内容】
【００６０】
ここでは、高画質モードのシフトステップを−１のみとしたが、撮影レンズ２の焦点距離に応じてシフトステップを変えることも可能である。また、画質モードを低画質モード、中画質モード及び高画質モードを設け、画質モードに応じてシフトステップを変えることも可能である。